【事件の表示】
　平成　８年特許願第１９３９２７号「カテーテル及びカテーテルの製造方法」拒絶査定不服審判事件〔平成１０年　１月２０日出願公開、特開平１０−　１５０７８号〕について、次のとおり審決する。
【結　論】
　本件審判の請求は、成り立たない。
【理　由】
第１　手続の経緯  
　本願は、平成８年７月４日の出願であって、平成１５年１月２１日付け（発送日：平成１５年１月２８日）で拒絶査定がなされ、これに対し、同年２月２１日に拒絶査定不服審判の請求がなされるとともに、同日付けの手続補正書により補正がなされたものである。
　  
第２　平成１５年２月２１日の手続補正についての補正却下の決定  
［補正却下の決定の結論］  
　平成１５年２月２１日の手続補正（以下、「本件補正」という。）を却下する。  
　
［理由］  
１．補正の内容の概要 
　本件補正は、平成１４年２月１日の手続補正書に記載された 
「【特許請求の範囲】
【請求項１】挿入チューブ（２）の基部を可とう性のチューブ補強部（４）内に装着し、チューブ補強部（４）の基部を固定部（３）内に装着し、
  前記チューブ補強部（４）は外周に複数の突部と溝部を交互に形成し、固定部（３）方向から挿入チューブ（２）方向へ向けて段階的に肉厚を薄く形成し、
  前記挿入チューブ（２）の基部の外周にチューブ補強部（４）と固定部（３）を同時にインサート成形により一体成形した、ことを特徴とするカテーテル（１）。
【請求項２】挿入チューブ（１２）の基部を可とう性のチューブ補強部（１８）内に装着し、流通チューブ（１６、１７）の基部を可とう性のチューブ補強部（１９、２０）内に装着し、
  前記各チューブ補強部（１８、１９、２０）の基部を分岐部（１３）内に装着し、
  前記チューブ補強部（１８、１９、２０）は、
（ａ）外周に複数の突部と溝部を交互に形成し、分岐部（１３）方向から挿入チューブ（１２）、流通チューブ（１６、１７）方向へ向けて、段階的に肉厚を薄く形成した、
  または（ｂ）格子状に形成し、
  前記挿入チューブ（１２）、流通チューブ（１６、１７）の基部の外周にチューブ補強部（１８、１９、２０）と分岐部（１３）をインサート成形により一体成形した、
ことを特徴とするカテーテル（１１）。
【請求項３】次の各工程よりなることを特徴とするカテーテル（１、１１）の製造方法。
（１）挿入チューブ（２、１２）、流通チューブ（１６、１７）の基部をインサート成形金型内に配置する工程、
（２）（１）の金型内に樹脂を導入し、
  挿入チューブ（２、１２）、流通チューブ（１６、１７）の基部の外周にチューブ補強部（４、１８、１９、２０）と固定部（３）、分岐部（１３）をインサート成形により同時に一体に成形する工程、
（３）以上の各工程により、（ａ）チューブ補強部（４、１８、１９、２０）の外周に複数の突部と溝部を交互に形成し、固定部（３）、分岐部（１３）方向から挿入チューブ（２、１２）、流通チューブ（１６、１７）方向へ向けて段階的に肉厚を薄く形成する、または（ｂ）チューブ補強部（１８、１９）を格子状に形成する、」を 
「【特許請求の範囲】
【請求項１】挿入チューブ（２）の基部を可とう性のチューブ補強部（４）内に装着し、チューブ補強部（４）の基部を固定部（３）内に装着し、
　前記チューブ補強部（４）は外周に複数の突部と溝部を交互に形成し、固定部（３）方向から挿入チューブ（２）方向へ向けて段階的に肉厚を薄く形成し、
　前記挿入チューブ（２）の基部の外周に
同一樹脂からなりかつ連続して成形された固定部（３）とチューブ補強部（４）を被覆した、
【請求項２】挿入チューブ（１２）の基部を可とう性のチューブ補強部（１８）内に装着し、流通チューブ（１６、１７）の基部を可とう性のチューブ補強部（１９、２０）内に装着し、
　前記各チューブ補強部（１８、１９、２０）の基部を分岐部（１３）内に装着し、
　前記チューブ補強部（１８、１９、２０）は、
（ａ）外周に複数の突部と溝部を交互に形成し、分岐部（１３）方向から挿入チューブ（１２）、流通チューブ（１６、１７）方向へ向けて、段階的に肉厚を薄く形成した、
　または（ｂ）格子状に形成し、
　前記挿入チューブ（１２）、流通チューブ（１６、１７）の基部の外周に
同一樹脂からなりかつ連続して成形されたチューブ補強部（１８、１９、２０）と分岐部（１３）を被覆した、
【請求項３】次の各工程よりなることを特徴とするカテーテル（１、１１）の製造方法。
（１）挿入チューブ（２、１２）、流通チューブ（１６、１７）の基部をインサート成形金型内に配置する工程、
（２）（１）の金型内に樹脂を導入し、
　挿入チューブ（２、１２）、流通チューブ（１６、１７）の基部の外周にチューブ補強部（４、１８、１９、２０）と固定部（３）、分岐部（１３）をインサート成形により同時に一体に成形する工程、
（３）以上の各工程により、（ａ）チューブ補強部（４、１８、１９、２０）の外周に複数の突部と溝部を交互に形成し、固定部（３）、分岐部（１３）方向から挿入チューブ（２、１２）、流通チューブ（１６、１７）方向へ向けて段階的に肉厚を薄く形成する、または（ｂ）チューブ補強部（１８、１９）を格子状に形成
し、
前記挿入チューブ（２、１２）、流通チューブ（１６、１７）の外周に同一樹脂からなりかつ連続して成形された固定部（３）、分岐部（１３）とチューブ補強部（４、１８、１９、２０）を被覆した、
　
２．補正の目的  
　本件補正は、請求項１の「前記挿入チューブ（２）の基部の外周にチューブ補強部（４）と固定部（３）を同時にインサート成形により一体成形した」を「前記挿入チューブ（２）の基部の外周に同一樹脂からなりかつ連続して成形された固定部（３）とチューブ補強部（４）を被覆した」と補正する事項を含むものであるが、補正後の「前記挿入チューブ（２）の基部の外周に同一樹脂からなりかつ連続して成形された固定部（３）とチューブ補強部（４）を被覆した」という発明特定事項は、補正前の「チューブ補強部（４）と固定部（３）」を「挿入チューブ（２）の基部の外周に」「インサート成形により一体成形した」ものだけでなく、「同一樹脂からなりかつ連続して成形された固定部（３）とチューブ補強部（４）」を「挿入チューブ（２）の基部の外周に」溶剤を用いて接続するもの（願書に添付した明細書、段落【０００７】参照。）をも含むものであり、特許請求の範囲のいわゆる限定的減縮を目的とするものではない。
　同様に、本件補正は、請求項２の「前記挿入チューブ（１２）、流通チューブ（１６、１７）の基部の外周にチューブ補強部（１８、１９、２０）と分岐部（１３）をインサート成形により一体成形した」を「前記挿入チューブ（１２）、流通チューブ（１６、１７）の基部の外周に同一樹脂からなりかつ連続して成形されたチューブ補強部（１８、１９、２０）と分岐部（１３）を被覆した」と補正する事項を含むものであるが、補正後の「前記挿入チューブ（１２）、流通チューブ（１６、１７）の基部の外周に同一樹脂からなりかつ連続して成形されたチューブ補強部（１８、１９、２０）と分岐部（１３）を被覆した」という発明特定事項は、補正前の「チューブ補強部（１８、１９、２０）と分岐部（１３）」を「挿入チューブ（１２）、流通チューブ（１６、１７）の基部の外周に」「インサート成形により一体成形した」ものだけでなく、「同一樹脂からなりかつ連続して成形されたチューブ補強部（１８、１９、２０）と分岐部（１３）」を「挿入チューブ（１２）、流通チューブ（１６、１７）の基部の外周に」溶剤を用いて接続するものをも含むものであり、特許請求の範囲のいわゆる限定的減縮を目的とするものではない。
　また、本件補正は請求項の削除、誤記の訂正及び明りょうでない記載の釈明のいずれを目的とするものでもない。
　
３．むすび  
　したがって、本件補正は、特許法第１７条の２第４項各号の規定に違反しているものと認められるので、特許法第１５９条第１項において読み替えて準用する同法第５３条第１項の規定により却下すべきものである。  
　  
第３　本願発明について  
１．本願発明
　平成１５年２月２１日付けの手続補正は、上記のとおり却下されたので、本願の請求項１に係る発明（以下、「本願発明」という。）は、平成１４年２月１日付けの手続補正書により補正された明細書の、特許請求の範囲の請求項１に記載された事項により特定される、以下のとおりのものである。  
「挿入チューブ（２）の基部を可とう性のチューブ補強部（４）内に装着し、チューブ補強部（４）の基部を固定部（３）内に装着し、
  前記チューブ補強部（４）は外周に複数の突部と溝部を交互に形成し、固定部（３）方向から挿入チューブ（２）方向へ向けて段階的に肉厚を薄く形成し、
  前記挿入チューブ（２）の基部の外周にチューブ補強部（４）と固定部（３）を同時にインサート成形により一体成形した、ことを特徴とするカテーテル（１）。」 
　
２．引用例の記載事項  
（１）原査定の拒絶の理由に引用された実願平４−２３５７９号（実開平５−７６４４９号）のＣＤ−ＲＯＭ（以下、「引用例１」という。）には、図面と共に、次の事項が記載されている。  
ア．「【請求項１】　柔軟な材質のカテーテルにおいて、その管状部１と排液口部２との連結箇所を、管状部１よりも大径且つ厚肉なる補強部５とすると共に、この補強部５の外径を、前記排液口部２の外径と同等もしくはそれ以下に設定したことを特徴とした体内挿入用合成樹脂製カテーテル。
【請求項２】　前記補強部５は、その周囲に括れ状溝を形成し、該括れ状溝を補強部の長手方向に沿って複数設けたことを特徴とした請求項１記載の体内挿入用合成樹脂製カテーテル。」（【実用新案登録請求の範囲】）  
イ．「【産業上の利用分野】
　本考案は、体内の排液等を吸引し、或いは薬液等の注入等に使用される体内挿入用合成樹脂製カテーテルに関するものである。」（段落【０００１】）  
ウ．「【考案が解決しようとする課題】
　ところで、前記のカテーテルは、先に触れたように排液口部が大型であるために、使用中の患者の移動などの外部からの不要な力や術者が患者へ使用する際に併用される器具等の影響により、細径なる管状部と排液口部との接続箇所で屈折が繰り返されて、該箇所に疲労がかかり、管状部の内部に形成されている排液流通路内の液体流通が不良となるのみならず、管状部が排液口部よりちぎれたり、切断する事態が生じ、排液等の機能に支障をきたすという不都合があった。」（段落【０００５】） 
エ．「図１に示したものが本考案の合成樹脂製カテーテルの斜視図であって、管状部１及び排液口部２より構成され、管状部１の先端箇所には吸込口１ａとなっており、管状部１内の長手方向に沿って形成されており、排液流通路１ｂとなって排液口部２に連通している。」（段落【００１０】） 
オ．「その補強部５には、図６に示すように、その周囲に円周状の溝とした括れ状溝５ａが、その補強部５の長手方向に沿って、適宜の間隔をおいて複数形成される実施例が存在し、該括れ状溝５ａ，５ａ，…によって補強部５の屈曲性を良好にすることもある。上記補強部５に形成される括れ状溝５ａの深さは、図７に示すように、管状部１の肉厚より大きくなるように形成される。」（段落【００１８】） 
カ．「本考案の合成樹脂製カテーテルはシリコーンゴムにより形成され、その形成においては、管状部１，排液口部２，空気又は水送出部４及び補強部５等が全て一体的に形成されており、さらに、具体的にはシリコーンゴムは、硬度ＪＩＳ　Ａ　２０以上９０以下のものが最適である。」（段落【００１９】） 
　 
　上記記載事項と図示事項を総合すれば、引用例１には、  
　「管状部１と排液口部２との連結箇所を、管状部１よりも大径且つ厚肉なる補強部５とし、補強部５には、その周囲に円周状の溝とした括れ状溝５ａが、その補強部５の長手方向に沿って、適宜の間隔をおいて複数形成され、管状部１，排液口部２及び補強部５が全て一体的に形成された体内挿入用合成樹脂製カテーテル。」の発明（以下、「引用発明１」という。）が開示されていると認めることができる。 
　 
（２）　同じく、原査定の拒絶の理由で引用された特開昭６１−５６６６１号公報（以下、「引用例２」という。）には、図面と共に、次の事項が記載されている。  
キ．「１．一端にハブを有した軟質チユーブからなるカテーテルまたは誘導針シースに用いる軟質カラー支持材であつて、上記チユーブの外径と実質的に同じ寸法の中心内腔を有し且つ弾性材料から作られる実質的に円筒状の物体から成り、該物体が相対的に径の大きい第１セツトの大径円板と、該大径円板のそれぞれを相互に分離する相対的に径の小さい第２セツトの小径円板から構成されていることを特徴とする軟質カラー支持材。
２．弾性材料がウレタン樹脂またはビニル樹脂である前記第１項記載の軟質カラー支持材。
３．第１セツトの大径円板が、カテーテルのハブに隣接する側を最大径およびハブから最も離れている側を最小径となるように、次第に細くなつている前記第１項または第２項記載の軟質カラー支持材。」（特許請求の範囲）
ク．「本発明は軟質カラー（ｃｏｌｌａｒ；継ぎ輪）支持材、更に詳しくは、カテーテルまたは誘導針シースのチユーブを支持して、該チユーブがハブ（ｈｕｂ；回転軸のボス）の付近でよじれるのを防止するもので、カテーテルまたはカテーテル導入針シースと共に用いる軟質カラー支持材に関する。」（１頁右下欄１２〜１７行）
ケ．「本発明に係る軟質カラー支持材は、カテーテルまたは誘導針シースのチユーブに嵌合する軟質カラーから構成され、上記嵌合においてカテーテルまたは誘導針シースが該軟質カラー支持材の中心内腔にスライドするようになつている。中心内腔は、軟質カラー支持材と共に使用するカテーテルの外径と実質的に同じ寸法を有している。軟質カラー支持材は、相対的に径の大きい円板と径の小さい円板の一連の組合せから作られるが、前者の大径円板の径は、カテーテルのハブに隣接する円板を最大径とし、これから先へ次第に細くなつていることが好ましい。第１セツトの大径円板は第２セツトの小径円板と共に交互に連接している。」（２頁右上欄５〜１７行）
　
　上記記載事項と図示事項を総合すれば、引用例２には、  
「一端にハブを有した軟質チユーブからなるカテーテルに用いる軟質カラー支持材であって、軟質カラー支持材は弾性材から作られる実質的に円筒状の物体から成り、該物体が相対的に径の大きい第１セツトの大径円板と、該大径円板のそれぞれを相互に分離する相対的に径の小さい第２セツトの小径円板から構成され、大径円板の径は、カテーテルのハブに隣接する側を最大径およびハブから最も離れている側を最小径となるように、次第に細くなつている軟質カラー支持材。」の発明（以下、「引用発明２」という。）が開示されていると認めることができる。
　
（３）　同じく、原査定の拒絶の理由で引用された特開平１−２９１８７５号公報（以下、「引用例３」という。）には、図面と共に、次の事項が記載されている。  
コ．「１　管状の合成樹脂製インナーチューブ、該インナーチューブの外周に装着されたワイヤーメッシュ、および該ワイヤーメッシュ上に被覆された合成樹脂製アウターチューブからなるチューブ本体と、該チューブ本体の一端に先細に形成された中空のチューブ先端部とを有する血管カテーテルの製法であって、
インナーチューブの外周にワイヤーメッシュを編み込む工程と、
該ワイヤーメッシュ付インナーチューブの外周にアウターチューブを被覆成形してチューブ本体を形成する工程と、
えられたチューブ本体を所定の長さに切断し、切断後のチューブ本体の一端部のアウターチューブを所定の長さだけはぎとる工程と、
アウターチューブがはぎとられた側からインナーチューブ内に内ピンを挿入する工程と、
内ピンが挿入されたチューブ本体をチューブ先端部の外形に対応するよう加工された割型の一方の型内に配置する工程と、
前記割型の他方の型を前記一方の型に合わせ、型内にチューブ先端部を構成する合成樹脂を流し込む工程
とを有することを特徴とする血管カテーテルの製法。」（特許請求の範囲）
サ．「アウターチューブのはぎとられた側からインナーチューブ（１）内に内ピン（５）が挿入される。内ピン（５）はつづくインサート成形法により形成される中空のチューブ先端部（４）の孔を確保するために用いられる。
　内ピン（５）が挿入されたチューブ本体（Ａ）はチューブ先端部（４）の外形に対応するように加工された割型の一方の型（６ａ）内に配置される。配置後、前記割型の他方の型（６ｂ）を前記一方の型に合わせる（第２図参照）。
　割型を配置した後に型内にチューブ先端部を構成する、たとえばポリエチレン、ポリウレタンなどの合成樹脂を適宜の場所から流し込む。なお、チューブ先端部の材料としてインナーチューブおよびアウターチューブと同じものを用いると溶着しやすいので強固な接続部をうることができる。」（４頁左上欄１４行〜右上欄１０行）
　 
３．対比  
　本願発明と引用発明１を対比すると、機能、構造からみて、後者の「管状部１」は前者の「挿入チューブ」に相当し、同様に「排液口部２」は「固定部」に、「補強部５」は「チューブ補強部」に、「体内挿入用合成樹脂製カテーテル」は「カテーテル」にそれぞれ相当する。また、後者の「周囲に円周状の溝とした括れ状溝５ａが、その補強部５の長手方向に沿って、適宜の間隔をおいて複数形成」は前者の「外周に複数の突部と溝部を交互に形成」に相当する。
　そして、後者において「体内挿入用合成樹脂製カテーテル」が「管状部１，排液口部２及び補強部５が全て一体的に形成された」ものであることと、前者において「カテーテル」が「前記挿入チューブの基部の外周にチューブ補強部と固定部を同時にインサート成形により一体成形した」ものであることは、「カテーテル」が「挿入チューブと一体形成されたチューブ補強部と固定部とからなる」点で共通する。また、本願発明において、「カテーテル」は「前記挿入チューブの基部の外周にチューブ補強部と固定部を同時にインサート成形により一体成形した」ものであるが、そのように成形されたものが「挿入チューブの基部を可とう性のチューブ補強部内に装着し、チューブ補強部の基部を固定部内に装着し、」たもの、すなわち、「チューブ補強部と固定部を同時にインサート成形により一体成形した」ものは「チューブ補強部の基部を固定部内に装着し」たものであるとしており、本願発明においては「一体成形」されたものであっても「装着」したものであるということができることから、引用発明において「一体的に形成された」ものも本願発明でいうところの「装着」したものといえるので、引用発明１の「管状部１，排液口部２及び補強部５が全て一体的に形成された」ものも本願発明でいうところの「挿入チューブの基部を可とう性のチューブ補強部内に装着し、チューブ補強部の基部を固定部内に装着し」たものであるといえる。
　
　したがって、両者は、 
　「挿入チューブの基部を可とう性のチューブ補強部内に装着し、チューブ補強部の基部を固定部内に装着し、
  前記チューブ補強部は外周に複数の突部と溝部を交互に形成し、
  前記挿入チューブと一体形成されたチューブ補強部と固定部とからなるカテーテル。」  
の点で一致し、以下の点で相違するものと認められる。  
　
（相違点１）  
　外周に複数の突部と溝部を交互に形成したチューブ補強部が、本願発明では固定部方向から挿入チューブ方向へ向けて段階的に肉厚を薄く形成したものであるのに対し、引用発明１ではそのように形成したものかどうか明らかでない点。 
　  
（相違点２） 
　本願発明では「挿入チューブ（２）の基部の外周にチューブ補強部（４）と固定部（３）を同時にインサート成形により一体成形した」ものであるのに対し、引用発明１ではこのように成形したものかどうか明らかでない点。
　 
４．判断  
（相違点１について） 
　本願発明と引用発明２を対比すると、機能、構造からみて、後者の「軟質チユーブからなるカテーテル」は前者の「挿入チューブ」に相当し、同様に「ハブ」は「固定部」に、「軟質カラー支持材」は「チューブ補強部」にそれぞれ相当する。また、後者の「弾性材から作られる実質的に円筒状の物体から成り、該物体が相対的に径の大きい第１セツトの大径円板と、該大径円板のそれぞれを相互に分離する相対的に径の小さい第２セツトの小径円板から構成」は前者の「外周に複数の突部と溝部を交互に形成」に相当し、後者の「大径円板の径は、カテーテルのハブに隣接する側を最大径およびハブから最も離れている側を最小径となるように、次第に細くなつている」は前者の「固定部方向から挿入チューブ方向へ向けて段階的に肉厚を薄く形成し」に相当するから、引用発明２を本願発明の文言を用いて表すと、
「一端に固定部を有した挿入チューブに用いるチューブ補強部であって、チューブ補強部は外周に複数の突部と溝部を交互に形成され、固定部方向から挿入チューブ方向へ向けて段階的に肉厚を薄く形成したチューブ補強部。」ということができる。
　そして、引用発明１及び引用発明２はいずれも軟質チューブと固定部との連結部の補強部に関するものであり、技術分野を同じくするものであるから、引用発明１及び引用発明２に基づいて上記相違点１に係る本願発明の発明特定事項とすることは、当業者が容易に想到し得ることである。  
　 
（相違点２について） 
　引用例３には、血管カテーテルのチューブ先端部の成形を、チューブ本体をチューブ先端部の外径に対応するよう加工された割型の一方の型内に配置し、配置後、前記割型の他方の型を前記一方の型に合わせて、割型を配置した後に型内にチューブ先端部を構成する合成樹脂を流し込んで行うこと、すなわち、インサート成形によりチューブ先端部を形成すると共にチューブ本体と一体とする技術が記載されている。してみれば、引用発明１のカテーテルにおいて、挿入チューブとチューブ補強部と固定部を一体的に形成するに当たり、インサート成形によりチューブ補強部と固定部を形成すると共に挿入チューブと一体としたものとすることを阻害する特段の事情もないことから、引用発明１及び引用例３に記載された技術に基づいて上記相違点２に係る本願発明の発明特定事項とすることは、当業者が容易に想到し得ることである。  
　  
　そして、本願発明の効果も、引用発明１、引用発明２及び引用例３に記載された技術から当業者が予測できる範囲内のものであって、格別なものとはいえない。 
　 
　なお、審判請求人は審尋に対する平成１７年１０月４日付けの回答書において、請求項１及び請求項２を「［請求項１］挿入チューブ（２）の基部を可とう性のチューブ補強部（４）内に装着し、チューブ補強部（４）の基部を固定部（３）内に装着し、 
 　前記チューブ補強部（４）は外周に複数の突部と溝部を交互に形成し、固定部（３）方向から挿入チューブ（２）方向へ向けて段階的に肉厚を薄く形成し、 
 　前記挿入チューブ（２）の基部の外周にチューブ補強部（４）と固定部（３）を同時にインサート成形により一体成形し、同一樹脂からなりかつ連続して成形された固定部（３）とチューブ補強部（４）を被覆した、ことを特徴とするカテーテル（１）。 
 　［請求項２］挿入チューブ（１２）の基部を可とう性のチューブ補強部（１８）内に装着し、流通チューブ（１６、１７）の基部を可とう性のチューブ補強部（１９、２０）内に装着し、 
 　前記各チューブ補強部（１８、１９、２０）の基部を分岐部（１３）内に装着し、 
 　前記チューブ補強部（１８、１９、２０）は、 
 （ａ）外周に複数の突部と溝部を交互に形成し、分岐部（１３）方向から挿入チューブ（１２）、流通チューブ（１６、１７）方向へ向けて、段階的に肉厚を薄く形成した、 
 　または（ｂ）格子状に形成し、 
 　前記挿入チューブ（１２）、流通チューブ（１６、１７）の基部の外周にチューブ補強部（１８、１９、２０）と分岐部（１３）をインサート成形により一体成形し、同一樹脂からなりかつ連続して成形されたチューブ補強部（１８、１９、２０）と分岐部（１３）を被覆した、ことを特徴とするカテーテル（１１）。」と補正する用意がある旨述べている。
　この補正案の請求項１に係る発明は、本願発明に「同一樹脂からなりかつ連続して成形された固定部（３）とチューブ補強部（４）を被覆した」という発明特定事項を追加したものであるが、上記（相違点２について）で検討したように引用発明１のカテーテルを形成するに当たり、インサート成形することは当業者が容易に想到し得ることであり、そのようにして形成されたものは挿入チューブの外周に同一樹脂からなる固定部とチューブ補強部を被覆したものとなることから、結局、補正案の請求項１に係る発明は引用発明１、引用発明２及び引用例３に記載された技術に基づいて当業者が容易に発明をすることができたものである。
　
５．むすび  
　以上のとおり、本願発明は、引用発明１、引用発明２及び引用例３に記載された技術に基づいて当業者が容易に発明をすることができたものであるから、特許法第２９条第２項の規定により、特許を受けることができない。  
　よって、結論のとおり審決する。